(57)【要約】【課題】  この発明は、実際のカップを想定した微妙な左右の打ち分け練習をすることができ、左右に打ち分けられた打球の球筋を結果に適切に反映させることができるパッティング練習具を得ることを課題とするものである。【解決手段】  この発明のパッティング練習具は、ゴルフカップの直径（４．２５インチ）とほぼ同じ大きさの円形開口部１１が形成され、この円形開口部１１の後方側が高くなるように傾斜させたゲート１の内側又は前方側にターゲット片２を連設するとともに、前記ゲート１の内側には、前記円形開口部１１の左右中心線Ｍ上の任意の点を頂部として後方に向かって次第に左右に拡がる側壁３１，３２を有する変向手段３を設けて構成する。【選択図】図１
2012179329.tif 000002
【特許請求の範囲】
【請求項１】
ゴルフカップの直径（４．２５インチ）とほぼ同じ大きさの円形開口部が形成され、この円形開口部の後方側が高くなるように傾斜させたゲートの内側又は前方側にターゲット片を連設するとともに、
前記ゲートの内側には、前記円形開口部の左右中心線上の任意の点を頂部として後方に向かって次第に左右に拡がる側壁を有する変向手段を設けた、
パッティング練習具。
【請求項２】
ゲートは、円形開口部の後方側下方空隙をゴルフボールが通過できる高さ以上として傾斜させた、請求項１記載のパッティング練習具。
【請求項３】
円形開口部の内側前方には、この円形開口部の左右中心線上を頂部として左右に下向き傾斜する面を備えた変向補助手段を設けた、請求項２記載のパッティング練習具。
【請求項４】
円形開口部の前方側左右側方には、それぞれ縦方向の切れ目を前記円形開口部に連続して形成した、請求項１ないし３の何れか記載のパッティング練習具。
【発明の詳細な説明】
【技術分野】
【０００１】
この発明は、ゴルフのパッティング練習具に関するものである。
【背景技術】
【０００２】
ゴルフのパッティング練習は、疑似カップが形成されたパターマット等を用いて行われるのが一般的である。練習者は、パターマット上の疑似カップ（特にその中心）を目標としてゴルフボールを打つことで、パッティング技能を養うことができる。
【０００３】
ところで、実際にゴルフコースのグリーン上でパッティングをする場合、グリーンのアンジュレーションや芝目などの影響によって、必ずしもカップの中心ばかりを目標とするとは限らない。すなわち、ボールが転がるラインはアンジュレーションや芝目などによって異なるため、そのラインを読んでパッティングする際、カップの中心からずれた位置を目標として打つ必要が生じるケースも多々ある。キャディにパットの狙い目を聞くと、「カップ右端一杯を狙って下さい。」などのようにアドバイスされることもよくあることである。
【０００４】
この点、従来の疑似カップが形成されたパターマットを用いた練習では、練習者はカップインさせることばかりに気が取られてしまい、どうしても疑似カップの中心を目標としてパッティングする練習とならざるを得ない。すなわち、疑似カップが形成された従来のパターマットにあっては、左右へボールを打ち分ける練習は全く念頭に置かれていない。
【０００５】
左右への打ち分け練習を念頭に置いたパッティング練習具としては、例えば特開平９−２７１５５２号公報に記載された発明が提案されている。
この発明は、登り傾斜面と下り傾斜面とを備えた基台の下り傾斜面の上面に複数の間仕切りを設けたパッティング練習具である。この発明によれば、基台の下り傾斜面の上面が複数の間仕切りによって区分けされているので、練習者は任意の区画を目標としてパッティングすることができる。
【特許文献１】特開平９−２７１５５２号公報
【０００６】
しかしながら、この発明は実際のカップ形状とは全く異なる形状であるため、実際のカップを想定した微妙な左右の打ち分け練習をすることができない。すなわち、この発明のパッティング練習具は、単にゴルフボールが入る区画が複数並んで設けられているだけであって、練習者は任意の区画を目標としてボールを打つことができるにすぎない。
また、間仕切りの上端が傾斜面の頂上部と同じ高さ以下になるように形成されているので、本来なら狙った区画に入るはずの打球が間仕切りを越えて隣接する区画に入ってしまうおそれがあり、打ち分けた打球の球筋を練習結果に正確に反映することができない。
【発明の開示】
【発明が解決しようとする課題】
【０００７】
この発明は、実際のカップを想定した微妙な左右の打ち分け練習をすることができ、左右に打ち分けられた打球の球筋を結果に適切に反映させることができるパッティング練習具を得ることを課題とするものである。
【課題を解決するための手段】
【０００８】
この発明のパッティング練習具は、ゴルフカップの直径（４．２５インチ）とほぼ同じ大きさの円形開口部が形成され、この円形開口部の後方側が高くなるように傾斜させたゲートの内側又は前方側にターゲット片を連設するとともに、前記ゲートの内側には、前記円形開口部の左右中心線上の任意の点を頂部として後方に向かって次第に左右に拡がる側壁を有する変向手段を設けて構成する。
前記ゲートは疑似カップとして機能するものであり、硬質の厚紙などのシート素材を用いて構成し、ゴルフカップ大の円形開口部が形成されていればよい。
また、前記ゲートは、円形開口部の後方側が高くなるよう傾斜させあればよいが、前方から円形開口部に進入するゴルフボールが円形開口部の後方側下方空隙を通過できる高さ以上として傾斜させることもできる（請求項２）。
【０００９】
ターゲット片は、パッティング練習する際にグリーン上のカップの代わりとして目標にする片であり、パッティング練習具が設置される床等との間に極力段差が生じないよう薄いシートで、実際のカップの直径（４．２５インチ）とほぼ同じ大きさの円形状に形成されている。
【００１０】
変向手段は、ゲート内に進入してきたゴルフボールをその進入方向に応じて左右に振り分けるためのものであり、ゲートの円形開口部の左右中心線上を基点とし後方に向かって次第に左右に拡がる側壁を備えたものであればよい。
この変向手段の左右の拡がり角度は、円形開口部の前記左右中心線に対して左右それぞれ５°ないし５０°程度の範囲内であれば任意の角度に設定することができる。
また、この変向手段は、前記ターゲット片がゲート内側に設けられている場合には、変向手段の上部を円形開口部の上端付近に固定したり、変向手段の下部をゲート内側に連設されたターゲット片に固定したりすること（あるいはその双方）によって、パッティング練習具に取り付けることができる。また、前記ターゲット片がゲート前方側に設けられている場合には、設置面に載置した変向手段の上部を円形開口部上端付近に固定することによって、パッティング練習具に取り付けることができる。
【００１１】
ゲートの円形開口部前方側の左右側方には、この円形開口部に連続する縦方向の切れ目を設けることができる（請求項４）。
【００１２】
請求項３の発明は、ゲート内側前方に、円形開口部の左右中心線上を頂部として左右に下向き傾斜する面を備えた変向補助手段を設けたことを特徴とする。
この変向補助手段は、ゲートに進入してきた打球をその進入方向に応じて左右に振り分けることを補助する手段であり、ゲートの円形開口部の左右中心線上を頂部として左右に下向き傾斜した面を備えたものであればよく、その形状や材質は問わないが、例えば、前記円形開口部の左右中心線を頂縁として左右下向きに傾斜する平面や、同じく左右中心線上に頂点を有する偏平円錐形状の傾斜曲面が考えられる。
また、前記ターゲット片がゲート内側に設けられている場合には、ターゲット片をゲートの円形開口部の左右中心線を頂点とする偏平円錐状に形成して変向補助手段とすることもできる。
【００１３】
この発明において、前後左右の方向は、このパッティング練習具を用いて練習する際に練習者の方向から見た場合の方向をいい、練習者に近い側が前方、練習者から遠い側が後方である。
【発明の効果】
【００１４】
この発明によれば、ゴルフカップの直径（４．２５インチ）とほぼ同じ大きさの円形開口部が形成され、この円形開口部の後方側が高くなるように傾斜させたゲートの内側又は前方側にターゲット片を連設するとともに、前記疑似カップの内側には、前記円形開口部の左右中心線上を基点として後方に向かって次第に左右に拡がる側壁を有する変向手段を設けたので、練習者はターゲット片を目標とすることで実際のカップの見え方を確認しながらパッティング練習を行うことができ、ターゲット片を目標としてパットした打球はゲートへの進入方向に応じて変向手段の左右側壁の何れかに接触し、左右に振り分けられる。
すなわち、パットした打球の球筋（方向性）が適切に結果として反映されるので、練習者は、パットした打球がゲート内において左右どちら寄りの球筋であったかを明瞭に確認しながら、実際のカップを想定した微妙な左右の打ち分け練習をすることができる。
そして、ゲートの円形開口部はゴルフのカップの直径（４．２５インチ）とほぼ同じ大きさに形成し、後方側を高く傾斜させてあるので、パットした打球がゲート内に入ったか否かを明確に確認できるとともに、カップインの実感を伴った練習を行うことができる。
【００１５】
また、ターゲット片をゲートの内側又は前方側に連設することで、距離感を養いながら微妙な左右の打ち分け練習を行うこともできる。
すなわち、ターゲット片をゲートの内側に設けた場合には、ゲートとターゲット片の練習者からの距離がほぼ同じとなり、ターゲット片（目標）に到達した打球はゲートに到達（カップイン）したこととなるので、目標に対して丁度よい力加減でのパット練習をすることができる。他方、ターゲット片をゲートの前方に設けた場合には、練習者からターゲット片までの距離よりもゲートまでの距離の方がやや長くなるので、ターゲット片を目標としながらも強めの力加減で打たなければゲートに到達（カップイン）することができない。そのため、目標に対してやや強めの力加減でのパットする練習をすることができる。
【００１６】
請求項２の発明によれば、ゲートは、円形開口部の後方側をゴルフボールが通過できる高さ以上に傾斜させてあるので、ゲート内に進入して左右に振り分けられた打球がゲートを通過することができる。
したがって、ゲートにカップインした打球がゲート内に溜まってしまうことがなく、練習者は連続してパット練習することができる。
【００１７】
請求項３の発明によれば、ゲート内側下方に、円形開口部の左右中心線上を頂部として左右に傾斜する変向補助手段を設けたので、ゲートに進入してきた打球がこの変向補助手段の上に達すると、その打球は傾斜方向に転がりやすくなり、打球の進入方向に応じた左右への振り分けを補助することができる。特に、パットした打球が変向手段に到達する直前で止まってしまうような勢いの場合でも、この変向補助手段の傾斜によって打球を左右に振り分けることができる。
【００１８】
請求項４の発明によれば、円形開口部前方側の左右側方には、それぞれ縦方向の切れ目を前記円形開口部に連続して形成したので、この切れ目と円形開口端部とに挟まれる部分が自由片となり、パットした打球が円形開口部の左右端部近傍を通過する際（打球がこの片部にぶつかる際）、この片部がボールの推進力と重さで押し下げられ、ゲートに妨げられずに打球を通過させることができる。
【発明を実施するための最良の形態】
【００１９】
図１及び２は、この発明のパッティング練習具の第１の実施例の概要を示す図である。
硬質のシート素材で構成されたゲート１には、円形開口部１１が形成されている。この円形開口部１１の直径は、グリーン上のカップの外径（４．２５インチ）とほぼ同じ大きさであり、前方（正面側）が設置面に接し、後方（背面側）が高くなるように傾斜させてある。この傾斜は、前方から円形開口部１１に進入してきたゴルフボールが円形開口部１１の上側に支えることなく通過できる程度の傾斜、すなわち、円形開口部１１の上端の高さが５０ｍｍ程度となるようにして傾斜させてある。
また、円形開口部１１の左右両側下方には、それぞれ円形開口部の左右中心線Ｍと平行で円形開口部の前後中心線Ｌ部分における円形開口部の接線である縦方向の切れ目１ｓが円形開口部１１を基端として形成されている。この切れ目１ｓと円形開口部１１との間には自由片１２が形成され、ゲート１から独立して上下方向に動くようになっている。
【００２０】
ゲート１の下方内側には、ターゲット片２が円形開口部１１の下端に連設されている。このターゲット片２は、薄いシートを用いて実際のカップの外径（４．２５インチ）とほぼ同じ大きさの外径の円形状に形成されている。
また、ターゲット片２の表面には約１ｃｍ幅の環状帯２１が複数同心円状に表されており、パットする際の微妙な左右方向への打ち分けの際に目標とすることができる。
【００２１】
ゲート１の内側には、ターゲット片２の上に載置される形で変向手段３が配設されている。この変向手段３は、円形開口部１１の前後中心線Ｌより後方側かつ左右中心線Ｍ上を基点として後方に向かって次第に左右に拡がるように配設された側壁３１，３２を備えている。
側壁３１，３２はパッティング練習時にゲート１内に進入するゴルフボールが当たっても変形しない程度の硬質の素材を用い、左右への拡がり角θは６０°（左右中心線Ｍに対し左右各３０°）程度のものとしてある。
また、側壁３１，３２の上部にはそれぞれゲート１の傾斜角に応じた切り込み３ｓが形成されており、この切り込み３ｓに円形開口部１１の上端部近傍を差し込むことによってゲート１が支持されている。
【００２２】
図３はこの発明のパッティング練習具の第１の実施例を使用した場合のボールの通過状態を示す平面図、図４は同じく正面図である。
練習者がターゲット片２の右側寄りを狙ってパットした場合、打球Ｂがその狙い通りの方向に進んでゲート１まで到達すると、ゲート１の自由片１２に接触する。この自由片１２は切れ目１ｓによってゲート１とは分離されているので、打球Ｂの推進力と重みによって後方に押し倒され、そのまま打球Ｂは円形開口部１１内に進入する。円形開口部１１内に進入した打球Ｂは変向手段３の右側の側壁３１に接触し、進行方向を右側に変えてゲート１を通過する。
ターゲット片２の左側寄りを狙ってパットした場合には、打球Ｂは左側の自由片１２を押し倒して円形開口部１１内に進入し、変向手段３の左側の側壁３２に接触し、進行方向を左側に変えてゲート１を通過する。
他方、練習者がパットした打球が狙い通りに進まず、ターゲット片２から外れてしまった場合、打球Ｂはゲート１にはじかれて円形開口部１１内に進入することができない。
【００２３】
また、変向手段３の基点が円形開口部１１の左右中心線Ｍ上に設けられているので、練習者がパットした打球Ｂの中心が円形開口部１１の左右中心線よりも左右どちらかにぶれていると、打球Ｂはそのぶれた方向に応じて変向手段３の側壁３１，３２のどちらかに接触し、進行方向を変えてゲート１を通過する。
さらに、変向手段３の基点は円形開口部１１の前後中心線Ｌより後方側に設けられているので、ゲート１に進入した打球Ｂが変向手段３に接触して進行方向が変わるのは円形開口部１１の前後中心線よりも後方側においてとなるから、変向手段３によって進行方向が変化した打球Ｂがゲート１に接触する可能性は低く、ゲート１を無事に通過させることができる。
したがって、練習者は、今打ったボールが左右どちら寄りのボールだったかをその都度確認することができ、次にパットする際の参考とすることができる。
【００２４】
さらに、ターゲット片２はゲート１の内側に配設されているので、ターゲット片２に打球が到達すればゲート１の円形開口部１１内に到達したこととなる。したがって、パッティング練習の際、ターゲット片２に到達できる力加減での左右方向の微妙な打ち分け練習をすることができる。
【００２５】
また、このパッティング練習具は、変向手段３をゲート１から取り外し、ターゲット片２をゲート１の円形開口部１１に嵌め込むことにより、１枚のシート状に折り畳むことができる（図５）。なお、ターゲット片２をゲート１の円形開口部１１に嵌め込んで１枚のシート状に折り畳むことができる点は、他の実施例についても同様である。
【００２６】
図６は、この発明のパッティング練習具の第２の実施例の概要を示す図である。
この実施例は、変向手段３の側壁３１，３２を直角三角形状に形成してそれぞれの上方を円形開口部１１の左右中心線側に傾斜させ、円形開口部１１の前方側を基点としてターゲット片２の上に取り付けるとともに、ゲート１の傾斜角度を大きくした例である。
この実施例において、ゲート１の上縁には天板１３が連設されており、この天板１３の他端をターゲット片２の後方側に設置した支持部材５に着脱可能に取り付けてゲート１が支持されている。その他の構成は実施例１と同じである。
なお、図７に示すように、支持部材５をゲート１の左右下端後方部分に着脱可能に取り付けることによってもゲート１を支持することができ、この場合には天板１３は不要である。
【００２７】
図８は、この発明のパッティング練習具の第３の実施例の概要を示す図である。
この実施例は、ターゲット片２をゲート１の円形開口部１１前方側に連設するとともに、変向手段３の側壁３１，３２を直角三角形状に形成して上方をそれぞれ円形開口部１１の左右中心線Ｍ側に傾斜させ、直接設置面に載置した例である。その他の構成は、第１の実施例と同じである。
この実施例においては、ターゲット片２がゲート１の前方側に配設されているので、ターゲット片２に対してやや強めの力加減でパットしないとゲート１を通過することができない。そのため、第３の実施例によれば、やや強めの力加減で左右の打ち分け練習をすることができる。
【００２８】
図９及び１０は、この発明のパッティング練習具の第４の実施例の概要を示す図である。
ゲート１内側下方の変向手段３前方には、変向補助手段４が設けられている。変向補助手段４は、硬質のシート素材で構成されており、円形開口部１１の左右中心線Ｍを頂部としてそれぞれ左右に緩やかに傾斜する傾斜面を備えている。この変更補助手段４は、円形開口部１１の下端に対して大きな段差が生じないよう円形開口部１１の下端側を低くして変更手段３方向にかけて次第に高くなるように傾斜させ、変向手段３の基点部分を頂部して後方かけて低くなるように形成してある（図１０参照）。
この実施例において、上記以外の構成は、変向手段３として実施例１の変向手段３を用いた点以外は、第３の実施例と同じである。
この実施例では、ゲート１内側下方の変向手段３前方に、円形開口部１１の左右中心線Ｍを頂部としてそれぞれ左右に緩やかに傾斜する傾斜面が形成されているので、ゲート１内に到達した打球は、到達した位置の傾斜面の方向に転がりやすくなる（図１１参照）。特に、ゲート１内に達したものの変向手段３にまでは到達しないような勢いのボールを、この変向補助手段４の傾斜面によって左右に振り分けることができるので、ゲート１内にボールが溜まるのを防ぐことができる。
【００２９】
図１２ないし１４は、この発明のパッティング練習具の第５の実施例の概要を示す図である。
この実施例において、ターゲット片２は偏平の円錐状に構成され、変向補助手段の機能をも併せ持つように構成してある。すなわち、ゲート１内に設けられた変向手段３の下方には、変向手段３の基点を頂点とし、その直径が実際のカップの直径とほぼ同じ大きさである偏平円錐状の片を形成したので、この円錐状の片を疑似カップとしてパッティングの目標とすることができると同時に、変向手段３の基点を中心として形成された傾斜面によって、ゲート１内に到達した打球を傾斜面方向に転がりやすくすることができる。
上記以外の構成は、変向手段３として実施例３の変向手段３を用いた点以外は、第１の実施例と同じである。
この実施例によれば、ターゲット片２は偏平の円錐状に構成してあるので、パッティング練習の際に疑似カップとして目標とすることができるとともに、ゲート１内のターゲット片２の上に到達した打球をその到達位置に応じて左右に振り分けることを補助することができる。
【産業上の利用可能性】
【００３０】
この発明は、パッティング練習具に関するものであり、産業上の利用可能性を有するものである。
【図面の簡単な説明】
【００３１】
【図１】この発明のパッティング練習具の第１の実施例の概要を示す斜視図
【図２】同じく平面図
【図３】同じくボールの通過状態を示す平面図
【図４】同じくボールの通過状態を示す正面図
【図５】同じく折り畳んだ状態を示す図
【図６】この発明のパッティング練習具の第２の実施例の概要を示す図
【図７】同じく他の支持部材を用いた例を示す図
【図８】この発明のパッティング練習具の第３の実施例の概要を示す図
【図９】この発明のパッティング練習具の第４の実施例の概要を示す図
【図１０】同じく側面図
【図１１】同じくボールの通過状態を示す正面図
【図１２】この発明のパッティング練習具の第５の実施例の概要を示す図
【図１３】同じく正面図
【図１４】同じく側面図
【符号の説明】
【００３２】
１    ゲート
１１  円形開口部
１２  自由片
１３  天板
１ｓ  切れ目
２    ターゲット片
３    変向手段
３１，３２  側壁
４    変更補助手段
５    支持部材
Ｌ    円形開口部の前後中心線
Ｍ    円形開口部の左右中心線
【図１】
2012179329.tif 000003
【図２】
2012179329.tif 000004
【図３】
2012179329.tif 000005
【図４】
2012179329.tif 000006
【図５】
2012179329.tif 000007
【図６】
2012179329.tif 000008
【図７】
2012179329.tif 000009
【図８】
2012179329.tif 000010
【図９】
2012179329.tif 000011
【図１０】
2012179329.tif 000012
【図１１】
2012179329.tif 000013
【図１２】
2012179329.tif 000014
【図１３】
2012179329.tif 000015
【図１４】
2012179329.tif 000016